(57)【要約】      （修正有）【課題】天板において天板支持部によって支持される部分の強度をより高くすることができる冷却貯蔵庫を提供する。【解決手段】前方に開口された開口部２０Ｄを有する貯蔵室２０Ａを構成する断熱箱体２０と、断熱箱体２０の側方に配されると共に少なくとも圧縮機が収容される機械室と、天面を構成する天板と、断熱箱体２０に取り付けられ、機械室の上方に配される天板支持部５０と、断熱箱体２０において開口部２０Ｄの上方となる箇所に設けられると共に、断熱箱体２０と機械室の並ぶ方向に沿って延びる延設部材６０と、を備え、延設部材６０における機械室側の端部は、天板支持部５０の前壁部５１を下方から支持する構成とされ、天板は、断熱箱体２０の上面と、天板支持部５０の上面によって下方から支持される構成である。【選択図】図３
2019007652.tif 000002
【特許請求の範囲】
【請求項１】
前方に開口された開口部を有する貯蔵室を構成する断熱箱体と、
前記断熱箱体の側方に配されると共に少なくとも圧縮機が収容される機械室と、
天面を構成する天板と、
前記断熱箱体に取り付けられ、前記機械室の上方に配される天板支持部と、
前記断熱箱体において前記開口部の上方となる箇所に設けられると共に、前記断熱箱体と前記機械室の並ぶ方向に沿って延びる延設部材と、を備え、
前記延設部材における前記機械室側の端部は、前記天板支持部の前端部を下方から支持する構成とされ、
前記天板は、前記断熱箱体の上面及び前記天板支持部の上面によって下方から支持される構成である冷却貯蔵庫。
【請求項２】
前記天板は、
前記天面を構成する天板本体部と、
前記天板本体部の前端から下方に延びる天板前端部と、を備え、
前記天板前端部の下端部には、前記延設部材における前端部に対して下方から係止する係止部が設けられている請求項１に記載の冷却貯蔵庫。
【発明の詳細な説明】
【技術分野】
【０００１】
本発明は、冷却貯蔵庫に関する。
【背景技術】
【０００２】
従来、冷却貯蔵庫として、天板を備えるものが知られている（下記特許文献１）。特許文献１では、天板は、冷却貯蔵庫の本体及び機械室の上方に配された天板支持部（第２補強部材）によって支持されている。
【先行技術文献】
【特許文献】
【０００３】
【特許文献１】特開平０９−２７３８５８号公報
【発明の概要】
【発明が解決しようとする課題】
【０００４】
冷却貯蔵庫の天板は、調理台として使用されたり、調理機器などが載置されたりすることが想定され、高い強度が求められる。冷却貯蔵庫の本体は、その内部に断熱材が充填された箱体であるから、強度が比較的高いものとされる。これに対して、天板支持部は、冷却貯蔵庫の本体の側面に対して片持ち状に固定されることから強度が比較的低くなってしまう。このため、天板においては、天板支持部によって支持される部分の強度が比較的低くなってしまうという問題点がある。
【０００５】
本発明は上記のような事情に基づいて完成されたものであって、天板において、天板支持部によって支持される部分の強度をより高くすることが可能な冷却貯蔵庫を提供することを目的とする。
【課題を解決するための手段】
【０００６】
上記課題を解決するために、本発明の冷却貯蔵庫は、前方に開口された開口部を有する貯蔵室を構成する断熱箱体と、前記断熱箱体の側方に配されると共に少なくとも圧縮機が収容される機械室と、天面を構成する天板と、前記断熱箱体に取り付けられ、前記機械室の上方に配される天板支持部と、前記断熱箱体において前記開口部の上方となる箇所に設けられると共に、前記断熱箱体と前記機械室の並ぶ方向に沿って延びる延設部材と、を備え、前記延設部材における前記機械室側の端部は、前記天板支持部の前端部を下方から支持する構成とされ、前記天板は、前記断熱箱体の上面及び前記天板支持部の上面によって下方から支持される構成であることに特徴を有する。天板支持部によって天板を支持することができ、その天板支持部の前端部は、延設部材によって支持されている。これにより、天板支持部の強度をより高くすることができる。この結果、天板において、天板支持部によって支持される部分の強度をより高くすることができる。
【０００７】
また、前記天板は、前記天面を構成する天板本体部と、前記天板本体部の前端から下方に延びる天板前端部と、を備え、前記天板前端部の下端部には、前記延設部材における前端部に対して下方から係止する係止部が設けられているものとすることができる。延設部材によって天板前端部を保持することができる。また、延設部材は係止部によって下方から支持されるため、延設部材の強度をより高くすることができ、天板支持部をより確実に支持することができる。
【発明の効果】
【０００８】
本発明によれば、天板において天板支持部によって支持される部分の強度をより高くすることができる。
【図面の簡単な説明】
【０００９】
【図１】本発明の一実施形態に係る冷却貯蔵庫の正面図
【図２】冷却貯蔵庫の内部構造を示す断面図（正面側から視た図）
【図３】断熱箱体を示す正面図
【図４】天板支持部付近を示す斜視図
【図５】冷却貯蔵庫上部を示す断面図（図１のＶ−Ｖ線で切断した図に対応）
【図６】天板支持部の前端部を示す断面図（図３のＶＩ−ＶＩ線で切断した図に対応）
【発明を実施するための形態】
【００１０】
本発明の一実施形態を図１から図６によって説明する。本実施形態では、図１に示すように、冷却貯蔵庫１０として、２ドア式の横型（テーブル型）冷蔵庫を例示する。本実施形態の冷却貯蔵庫１０は、図１に示すように、横長の箱体である断熱箱体２０と、断熱箱体２０の側方（左側）に配される機械室１１と、を備える。断熱箱体２０は、図２に示すように、金属製（ステンレス鋼板等）の外装板２１と内装板２２の間に発泡樹脂等の断熱材２３が充填されることで構成されている。断熱箱体２０は、貯蔵室２０Ａと冷却器室２０Ｂとを有する。
【００１１】
貯蔵室２０Ａは、図３に示すように、前方に開口された開口部を仕切枠２９によって仕切ることで形成された２つの開口部２０Ｄ，２０Ｄを有している。２つの開口部２０Ｄ，２０Ｄは、図１に示すように、観音開き式の一対の断熱扉１２，１２によってそれぞれ開閉可能な構成となっている。なお、図１では、左右に並ぶ一対の断熱扉１２，１２のうち右側の断熱扉１２を２点鎖線で図示している。図２に示すように、貯蔵室２０Ａと冷却器室２０Ｂとは吹出ダクト２４及び吸込ダクト２５によって仕切られている。冷却器室２０Ｂには冷却器２６と冷却ファン２７が収容されている。冷却ファン２７は冷却器２６に対して貯蔵室２０Ａに近い側に配されている。また、冷却器２６の下方には、ドレンパン２８が配されている。
【００１２】
機械室１１は、縦長の箱体によって構成されている。機械室１１には、圧縮機１３と、凝縮器ファン付きの凝縮器１４（図１参照）とを備える冷却ユニット１５が収容されている。圧縮機１３及び凝縮器１４は、図示しない冷媒管によって冷却器２６と接続されており、公知の冷却サイクルを構成するものとされる。なお、凝縮器１４は、図１に示すように、機械室１１を構成するフロントパネル１１Ａに形成された通気孔１１Ｂと対向する形で配されている。本実施形態において、冷却運転は、圧縮機１３及び冷却ファン２７が駆動されることで行われる。冷却ファン２７が駆動すると、貯蔵室２０Ａ内の空気が吸込ダクト２５の吸込口から冷却器室２０Ｂ内に吸引されて冷却器室２０Ｂに向かい、冷却器２６を通過する過程で冷やされることで冷気となり、その後、吹出ダクト２４の吹出口から貯蔵室２０Ａに吹き出される。このような冷気が循環供給されることで貯蔵室２０Ａ内が冷却される。
【００１３】
断熱箱体２０の外装板２１は、複数のパネル部材によって構成されている。図５に示すように、外装板２１は、断熱箱体２０の前面を構成する前側パネル部材３１と、断熱箱体２０の上面を構成する上側パネル部材３２と、断熱箱体２０の後面を構成する後側パネル部材３３と、を少なくとも備える。図５に示すように、上側パネル部材３２の前端部３２Ｂは、前側パネル部材３１の上端部に対して締結部材３４によって固定されている。上側パネル部材３２の後端部３２Ａは、後側パネル部材３３の上端部３３Ａに対して締結部材３５によって固定されている。また、前側パネル部材３１と内装板２２との隙間を塞ぐ形で、開口部２０Ｄを構成するジョイナ３６が設けられている。締結部材３４，３５としては、例えばリベットを例示することができるが、これに限定されず、締結部材３４，３５として、例えばネジを用いてもよい。なお、図５では断熱材２３を図示省略している。
【００１４】
後側パネル部材３３の上端部３３Ａは、後側（図５の右側）に向かうにつれて下降傾斜する形で延びている。上側パネル部材３２の後端部３２Ａは、後側に向かうにつれて下降傾斜する形で延びており、後側パネル部材３３の上端部３３Ａに対して表側から重なる形で配されている。このため、締結部材３５は、前側に向かうにつれて下降傾斜する姿勢で配されている。
【００１５】
また、冷却貯蔵庫１０は、図１に示すように、冷却貯蔵庫１０の天面４０Ａを構成する天板４０を備える。天板４０は、平面視において左右方向に長い長方形状をなし、断熱箱体２０及び機械室１１を上方から覆う構成となっている。天板４０は、図５及び図６に示すように、断熱箱体２０（上側パネル部材３２）の上面２０Ｆ及び天板支持部５０の上面５０Ａによって下方から支持されている。上面２０Ｆ及び上面５０Ａは水平な面であり、図３に示すように、面一をなしている。天板４０は、下方に開口された浅い箱状をなしており、図５に示すように、水平な天面４０Ａを構成する天板本体部４１と、天板本体部４１の前端から下方に延びる天板前端部４２と、天板本体部４１の後端から下方に延びる天板後端部４３と、を備える。天板本体部４１と天板後端部４３とは、互いに直交する形で連結されている。
【００１６】
このため、天板本体部４１と天板後端部４３によって構成される角部と、後側パネル部材３３の上端部３３Ａ（及び上側パネル部材３２の後端部３２Ａ）との間には、側面視三角形状をなす収容空間Ｓ１が設けられ、収容空間Ｓ１に締結部材３５の頭部が収容されている。なお、上側パネル部材３２の後端部３２Ａを段差状にすることで、締結部材３５の頭部を収容する収容空間を設けることも可能であるが、段差状にするためには、上側パネル部材３２を２回折り曲げる必要があり工数が増えてしまう。この点、本実施形態では、後端部３２Ａを傾斜させる構成であるから、上側パネル部材３２を１回折り曲げるだけで収容空間Ｓ１を形成することができる。
【００１７】
また、後側パネル部材３３において上端部３３Ａの下方となる箇所には、後側に開口された凹部３３Ｂが形成されている。この凹部３３Ｂには、天板後端部４３の一部を前方に膨出させることで構成された突部４３Ａが嵌合されている。これにより、天板４０が後側パネル部材３３に係止する構成となっている。また、断熱箱体２０に対して天板４０を組み付ける際には、天板４０の前端部（後述する係止部４６）を延設部材６０（後述）に係止させた後、天板後端部４３を断熱箱体２０に対して下降させ、凹部３３Ｂに突部４３Ａを嵌合させるようにする。この組み付け時には、後端部３２Ａと上端部３３Ａとの重合部分３７に対して、天板後端部４３の下端４３Ｂが引っ掛かる場合がある。重合部分３７の表面は、後側に向かって下降傾斜する傾斜面となっているため、下端４３Ｂが重合部分３７に対して引っ掛かった場合には、作業者は、天板４０を下方に押し込むことで、下端４３Ｂが重合部分３７の傾斜面に摺動し、板金である天板後端部４３を後側に撓み変形させることができる。これにより、下端４３Ｂを重合部分３７よりも下方に変位させることができ、変位した後、天板後端部４３が弾性復帰することで、凹部３３Ｂに突部４３Ａが嵌合する。なお、仮に、上側パネル部材３２の後端部３２Ａが段差状をなす場合には、下端４３Ｂが後端部３２Ａに引っ掛かった際に、天板後端部４３が撓み変形することが困難であり、組み付け性が低下してしまう。
【００１８】
天板支持部５０は、天板４０において断熱箱体２０から側方（機械室１１側）にはみ出た部分４７（機械室１１の上方に配される部分、図１及び図２参照）を支持する補強板である。天板支持部５０は、図４に示すように、前後方向に長い形状をなすと共に、下方に開口された浅い箱状をなしている。天板支持部５０は、例えば、断熱箱体２０における機械室１１側の側面２０Ｅに対して締結部材５２（リベットやネジなど）によって取り付けられ、機械室１１の上方に配されている（図２参照）。本実施形態では、天板支持部５０は、機械室１１を構成する上壁部とされるが、機械室１１を構成する上壁部が、天板支持部５０とは別に設けられていてもよい。
【００１９】
図３に示すように、断熱箱体２０において開口部２０Ｄの上方となる箇所には、左右方向（断熱箱体２０と機械室１１の並ぶ方向）に沿って延びる延設部材６０が設けられている。延設部材６０は、図５に示すように、断面視略Ｌ字状をなし、前側パネル部材３１に沿って延びる第１延設部６３と、第１延設部６３の下端から前側に向かって延びる第２延設部６４とを備える。第１延設部６３は、前側パネル部材３１に対して締結部材４５によって固定されている。また、天板４０における天板前端部４２の下端部には、延設部材６０における前端部６１に対して下方から係止する係止部４６が設けられている。これにより、天板４０の前端部が延設部材６０によって保持される構成となっている。なお、前端部６１及び係止部４６は、前側（図５の左側）に向かうにつれて下降傾斜する形で延びている。また、延設部材６０は、天板前端部４２と前側パネル部材３１との間の隙間を下方から覆うカバー部材の機能を有している。
【００２０】
また、図３及び図４に示すように、延設部材６０における機械室１１側の端部６２は、断熱箱体２０から側方に突出する形で配されている。延設部材６０の端部６２においては、図６に示すように、第２延設部６４が天板支持部５０の前壁部５１（前端部）を下方から支持する構成とされる。また、前壁部５１は、第１延設部６３に対して前側から係止する構成となっている。また、天板支持部５０の後端部は、機械室１１を構成する後壁部１１Ｄ（図２参照）によって下方から支持される構成となっている。後壁部１１Ｄは、図２に示すように、天板支持部５０の後壁部５３に対して前側に配される。なお、後壁部１１Ｄは、機械室１１を構成する左側の側壁部１１Ｅ（図１参照）と一体的に形成されている。
【００２１】
次に本実施形態の効果について説明する。本実施形態によれば、天板支持部５０によって天板４０を支持することができ、その天板支持部５０の前壁部５１は、延設部材６０によって支持されている。これにより、天板支持部５０の強度をより高くすることができる。この結果、天板４０において、天板支持部５０によって支持される部分４７（断熱箱体２０からはみ出した部分、図１及び図２参照）の強度（剛性）をより高くすることができる。
【００２２】
また、延設部材６０は、天板４０と前側パネル部材３１の間の隙間を覆うカバー部材としての機能を担っており、この延設部材６０の端部６２によって天板支持部５０を支持する構成とすれば、天板支持部５０を支持するための専用部材を設ける必要がなく、部品点数が増える事態を防止できる。また、天板支持部５０を断熱箱体２０の側面２０Ｅに対して取り付ける際には、延設部材６０に天板支持部５０の前壁部５１を載せることで、天板支持部５０の位置決めを容易に行うことができる。
【００２３】
また、天板４０は、天面４０Ａを構成する天板本体部４１と、天板本体部４１の前端から下方に延びる天板前端部４２と、を備え、天板前端部４２の下端部には、延設部材６０における前端部６１に対して下方から係止する係止部４６が設けられている。これにより、延設部材６０によって天板前端部４２を保持することができる。また、延設部材６０は係止部４６によって下方から支持されるため、延設部材６０の強度をより高くすることができ、延設部材６０によって天板支持部５０をより確実に支持することができる。
【００２４】
＜他の実施形態＞
本発明は上記記述及び図面によって説明した実施形態に限定されるものではなく、例えば次のような実施形態も本発明の技術的範囲に含まれる。
（１）上記実施形態では冷却貯蔵庫として冷蔵庫を例示したが、これに限定されず、冷却貯蔵庫として、冷凍庫や恒温高湿庫などを例示することができる。
（２）開口部２０Ｄの個数は上記実施形態で例示したものに限定されず、適宜変更可能である。
（３）天板支持部５０及び延設部材６０は板状に限定されない。しかしながら、加工のし易さや軽量化の観点から板状であることがより好ましい。
【符号の説明】
【００２５】
１０…冷却貯蔵庫、１１…機械室、１３…圧縮機、２０…断熱箱体、２０Ａ…貯蔵室、２０Ｂ…開口部、２０Ｆ…断熱箱体の上面、４０…天板、４０Ａ…天面、４１…天板本体部、４２…天板前端部、４６…係止部、５０…天板支持部、５０Ａ…天板支持部の上面、５１…前壁部（天板支持部の前端部）、６０…延設部材
【図１】
2019007652.tif 000003
【図２】
2019007652.tif 000004
【図３】
2019007652.tif 000005
【図４】
2019007652.tif 000006
【図５】
2019007652.tif 000007
【図６】
2019007652.tif 000008